(57)【要約】【課題】  撮像の高品位化及び小型化を両立して達成することができる撮像装置を提供する。【解決手段】  撮像レンズを介して結像した被写体の像を受光する撮像素子を有し、前記被写体を撮像する撮像装置であって、前記撮像レンズと前記撮像素子との間に配置され、前記被写体からの光のうち、所定の偏光を有する光を分離する第１の光学ローパスフィルターと、前記第１の光学ローパスフィルターの、前記被写体側の光路中に挿脱可能に配置され、前記被写体からの光のうち所定の偏光を有する光を遮断する第１の遮断手段とを有することを特徴とする撮像装置を提供する。【選択図】          図２
2006180076.tif 000002
【特許請求の範囲】
【請求項１】
撮像レンズを介して結像した被写体の像を受光する撮像素子を有し、前記被写体を撮像する撮像装置であって、
前記撮像レンズと前記撮像素子との間に配置され、前記被写体からの光のうち、所定の偏光を有する光を分離する第１の光学ローパスフィルターと、
前記第１の光学ローパスフィルターの、前記被写体側の光路中に挿脱可能に配置され、前記被写体からの光のうち所定の偏光を有する光を遮断する第１の遮断手段とを有することを特徴とする撮像装置。
【請求項２】
前記第１のローパスフィルターを通過した光のうち前記所定の偏光とは異なる偏光を有する光を分離する第２の光学ローパスフィルターと、
前記第２の光学ローパスフィルターの、前記撮像素子側の光路中に挿脱可能に配置され、前記第２のローパスフィルターを通過した光のうち前記所定の偏光とは異なる偏光を有する光を遮断する第２の遮断手段とを更に有することを特徴とする請求項１記載の撮像装置。
【請求項３】
前記第１の遮断手段は、前記第１の光学ローパスフィルターの光学軸と平行な偏光を有する光を遮断することを特徴とする請求項１記載の撮像装置。
【請求項４】
前記第２の遮断手段は、前記第２の光学ローパスフィルターの光学軸と平行な偏光を有する光を遮断することを特徴とする請求項２記載の撮像装置。
【請求項５】
前記第１の遮断手段及び／又は前記第２の遮断手段は、偏光フィルターであることを特徴とする請求項２記載の撮像装置。
【請求項６】
前記撮像素子は、周期的に配列された画素を有し、
前記第１の遮断手段は、前記被写体が前記周期的に配列された画素と略一致する周期を有する場合に前記撮像光路中に配置され、前記被写体が前記周期的に配列された画素と略一致する周期を有さない場合に前記撮像光路中から退避することを特徴とする請求項１記載の撮像装置。
【発明の詳細な説明】
【技術分野】
【０００１】
本発明は、一般には、撮像装置に係り、特に、撮像レンズと撮像素子との間に光学ローパスフィルターを備えた撮像装置に関する。本発明は、例えば、デジタル一眼レフカメラ、デジタルスチルカメラ、ビデオカメラ、テレビカメラ等の撮像装置に好適である。
【背景技術】
【０００２】
近年のデジタルカメラやビデオカメラなどの撮像装置の普及に伴って、かかる撮像装置には撮像の高品位化及び小型化がますます要求されるようになってきている。特に、撮像装置の一例であるデジタルカメラは、例えば、撮像した画像をその場ですぐに確認することができる、不要な画像は消去して何度でも撮像することができる、撮像した画像をパソコンなどに容易に取り込み、保存などすることができるなど、マルチメディア時代に適した製品として注目されている。
【０００３】
撮像素子を利用したデジタルカメラは、画素及びカラーフィルターを規則的に配置しているため、被写体がカラーフィルターの周期にマッチングした周期パターンを有すると、偽色を発生することが知られている。偽色とは、カラーフィルターの周期パターンと被写体像の周期パターンとのモアレであり、色のないところに色付いたモアレ状パターン（モアレ縞）が出現するため、特に、芸術写真や商品撮影において、その違和感が嫌われる。
【０００４】
従来のデジタルカメラでは、偽色を改善するために、撮像光学系と撮像素子との間に光学ローパスフィルターを組み込んでいる。光学ローパスフィルターは、入射する光線を空間的に光路が離間した常光線と異常光線とに分離し、偽色の発生を抑制する。一方、光学ローパスフィルターは、撮像素子のナイキスト周波数でＭＴＦ（Ｍｏｄｕｌａｔｉｏｎ  Ｔｒａｎｓｆｅｒ  Ｆｕｎｃｔｉｏｎ）がゼロとなるように像ズレ量を選んで像をぼかしているため、ナイキスト周波数近傍の周波数及び低周波数においてＭＴＦを低下させ、解像力及びコントラストの低下した画像を生じてしまうという欠点を有する。つまり、デジタルカメラの偽色は、カラーフィルターの周期にマッチングする周期パターンを有する被写体のみに発生するため、そのような周期パターンを有さない（即ち、偽色の発生がない）被写体には、光学ローパスフィルターが不要となるばかりでなく、解像力及びコントラストの低下の悪影響のみが残ることになる。
【０００５】
このようなことから、光学ローパスフィルターを取り外し可能に、カメラのマウント付近に設けたデジタル一眼レフカメラが市場に登場している。また、光学ローパスフィルターを撮像光路中に挿入又は退避可能に構成し、光学的ローパス効果を可変としたデジタルカメラも提案されている（例えば、特許文献１参照。）。
【特許文献１】特開平１０−３２２５８９号公報
【発明の開示】
【発明が解決しようとする課題】
【０００６】
しかしながら、光学的ローパス効果を可変とする（即ち、光学ローパスフィルターの使用又は未使用を切り替え可能な）従来のデジタルカメラは、近年要求されている小型化を十分に達成することができなくなってきた。これは、光学ローパスフィルターは、一般には、複屈折性を有する結晶（結晶板）で構成され、更に、板厚も厚く、折り曲げたりすることができないために、光学ローパスフィルターを撮像光路中に挿入又は退避可能にする機構が大型化してしまうからである。
【０００７】
そこで、本発明は、撮像の高品位化及び小型化を両立して達成することができる撮像装置を提供することを例示的目的とする。
【課題を解決するための手段】
【０００８】
上記目的を達成するために、本発明の一側面としての撮像装置は、撮像レンズを介して結像した被写体の像を受光する撮像素子を有し、前記被写体を撮像する撮像装置であって、前記撮像レンズと前記撮像素子との間に配置され、前記被写体からの光のうち、所定の偏光を有する光を分離する第１の光学ローパスフィルターと、前記第１の光学ローパスフィルターの、前記被写体側の撮像光路中に挿脱可能に配置され、前記被写体からの光のうち所定の偏光を有する光を遮断する第１の遮断手段とを有することを特徴とする。
【０００９】
本発明の他の目的又はその他の特徴は、以下、添付図面を参照して説明される好ましい実施例によって明らかにされるであろう。
【発明の効果】
【００１０】
本発明によれば、撮像の高品位化及び小型化を両立して達成することができる撮像装置を提供することができる。
【発明を実施するための最良の形態】
【００１１】
以下、添付図面を参照して、本発明の一側面としての撮像装置について説明する。なお、各図において、同一の部材については同一の参照番号を付し、重複する説明は省略する。ここで、図１は、本発明の撮像装置１の構成を示す概略断面図である。
【００１２】
撮像装置１は、被写体からの光を、撮像レンズを介して撮像素子に結像し、被写体を撮像する撮像装置であり、本実施形態では、デジタル一眼レフカメラで具現化される。
【００１３】
撮像装置１は、図１に示すように、撮像レンズ１０と、カメラ本体２０と、回転ミラー３０と、撮像素子４０と、ファインダー光学系５０と、光学ローパスユニット１００とを有する。
【００１４】
撮像レンズ１０は、交換型の撮像レンズであり、焦点調節レンズを含む撮像光学系を備えている。カメラ本体２０は、後述する回転ミラー３０と、撮像素子４０と、ファインダー光学系５０と、光学ローパスユニット１００とを収納し、マウント部２２を介して撮像レンズ１０を着脱可能とする。
【００１５】
回転ミラー３０は、撮像レンズ１０を透過した光（光像）を反射し、後述する焦点板５２に導光する。回転ミラー３０は、撮像光路上への挿脱が可能なように構成され、ファインダー観察時には撮像光路上の所定の位置に配置され、撮影時には撮像光路外に退避する。
【００１６】
撮像素子４０は、規則的に配列された画素及びカラーフィルターを有し、撮像レンズ１０により結像される被写体からの光を、後述する光学ローパスユニット１００を介して受光し、画像信号に変換する（光電変換）機能を有する。撮像素子４０は、例えば、受光した光を画素毎に電気信号に変換し、その光量に応じた電荷をそれぞれ蓄積して、その電荷を読み出すタイプのライン（１次元）センサーやエリア（２次元）センサーなどで構成される。なお、撮像素子４０からの出力信号は、図示しない画像処理回路にて所定の処理が施されて画像データとなり、かかる画像データは図示しないメモリースティック等の記憶媒体に記憶される。
【００１７】
ファインダー光学系５０は、撮像する被写体を観察するための光学系であり、本実施形態では、焦点板５２と、ペンタプリズム５４と、接眼レンズ５６とを有する。換言すれば、ファインダー光学系５０は、撮像される被写体の画像を擬似的にユーザーに提供する。
【００１８】
焦点板５２は、回転ミラー３０で反射された撮像レンズ１０からの光（光像）を拡散してペンタプリズム５４に射出する。ペンタプリズム５４は、互いに４５度の２つの反射面と、入射光と射出光に直角の２つの屈折面を含み、焦点板５２で拡散された光を反射し、接眼レンズ５４に導光する。接眼レンズ５４は、アイピースとも呼ばれ、ファインダー光学系５０において、最終的に像を結ぶ機能を有する。接眼レンズ５４は、例えば、光像を拡大する。
【００１９】
光学ローパスユニット１００は、図１に示すように、光学ローパスフィルター１１０と、偏光フィルター１２０とを有し、撮像素子４０のナイキスト周波数でＭＴＦがゼロとなるように像ズレ量を選んで被写体像（撮像レンズ１０を透過した光）をぼかした状態で撮像素子４０に結像させる（光学的ローパス効果）。但し、光学ローパスユニット１００は、常に光学的ローパス効果を有するのではなく、後述するように、被写体に応じて光学的ローパス効果を可変とする（即ち、光学的ローパス効果を有する又は有さない）構成となっている。なお、以下では、光学ローパスユニット１００が光学的ローパス効果を有する状態を「光学的ローパス効果ありの状態」、光学ローパスユニット１００が光学的ローパス効果を有さない状態を「光学的ローパス効果なしの状態」と称する。
【００２０】
光学ローパスフィルター１１０は、撮像レンズ１０から撮像素子４０に至る撮像光路中に配置され、撮像レンズ１０から入射する光のうち、所定の偏光を有する光を空間的に光路が離間した常光線と異常光線とに分離して射出する。光学ローパスフィルター１１０の分離幅は、撮像素子４０の画素配列ピッチに応じた寸法であり、被写体の画素配列ピッチに応じた所定の空間周波数成分を減衰させて、撮像素子４０の光電変換面に像を形成する。換言すれば、光学ローパスフィルター１１０は、ある特定の空間周波数の像（本実施形態では、撮像素子４０のナイキスト周波数近傍の周波数を有する光）をぼかす機能を有する。
【００２１】
光学ローパスフィルター１１０は、本実施形態では、複屈折性を有する結晶から構成される。なお、光学ローパスフィルター１１０は、構成する結晶の結晶構造によって定まる光学軸を含む平面内の偏光（例えば、光学軸に平行な偏光や垂直な偏光）を分離することはできない。かかる性質を利用することにより、後述する偏光フィルター１２０は、光学ローパスフィルターの光学的ローパス効果をキャンセルすることができる。
【００２２】
偏光フィルター１２０は、図１（ａ）及び図１（ｂ）に示すように、光学ローパスフィルター１１０の被処理体側の撮像光路中に挿脱可能に配置され、撮像レンズ１０から入射する光のうち、所定の偏光を有する光を遮断する。なお、図１（ａ）は、撮像光路外に偏光フィルター１２０を退避させた状態を示し、図１（ｂ）は、撮像光路中に偏光フィルター１２０が配置された状態を示している。偏光フィルター１２０は、光学ローパスフィルター１１０で分離される所定の偏光を有する光を遮断し、光学ローパスフィルター１１０に入射させないため、光学ローパスフィルター１１０を射出する光は、分離されることなく射出される。換言すれば、偏光フィルター１２０を撮像光路中に配置することで、光学ローパスフィルター１１０を撮像光路外に退避させた場合と同様の効果を得ることができる。即ち、偏光フィルター１２０を撮像光路中に配置したり、撮像光路外に退避させたりすることにより、光学ローパスユニット１００の光学的ローパス効果ありの状態と光学的ローパス効果なしの状態を切り替えることができる。なお、偏光フィルター１２０は、光学ローパスフィルター１１０と比べて、薄く、且つ、軽量に構成することが可能である。従って、偏光フィルター１２０を撮像光路中に挿脱可能にする機構は、光学ローパスフィルター１１０を撮像光路中に挿脱可能にする機構よりも小さく構成することが可能であり、撮像装置１の小型化に寄与する。
【００２３】
以下、光学ローパスユニット１００を具体的に説明する。図２は、光学ローパスユニット１００の構成を示す概略斜視図であって、図２（ａ）は偏光フィルター１２０が撮像光路外に退避した場合、図２（ｂ）は偏光フィルター１２０が撮像光路上に配置された場合を示している。図２において、撮像素子４０はラインセンサーであり、光学ローパスフィルター１１０は矢印Ａ方向に光学軸を有する結晶から構成され、偏光フィルター１２０は矢印Ａ方向に垂直な方向（矢印Ｂ方向）の偏光を有する光のみを透過する（即ち、矢印Ａ方向に平行な偏光を有する光を遮断する）偏光フィルターであるとする。
【００２４】
図２（ａ）を参照するに、偏光フィルター１２０が撮像光路外に退避しており、光学ローパスユニット１００は光学的ローパス効果ありの状態である。この状態では、光学的ローパス効果が基準の状態である。従って、撮像素子４０のカラーフィルターの周期にマッチングする周期パターンを有する（即ち、偽色の発生がある）被写体であっても、偽色の発生を抑えることができ、撮像の高品位化を図ることができる。但し、ナイキスト周波数近傍の周波数及び低周波数においてＭＴＦを低下させ、解像力及びコントラストを低下させてしまう。
【００２５】
そこで、撮像素子４０のカラーフィルターの周期にマッチングする周期パターンを有さない（即ち、偽色の発生がない）被写体の場合には、図２（ｂ）に示すように、偏光フィルター１２０を光学ローパスフィルター１１０の前段の撮像光路上に配置し、光学ローパスユニット１００を光学的ローパス効果なしの状態にする。この状態では、光学ローパスフィルター１１０で分離される矢印Ａ方向の偏光を有する光が光学ローパスフィルター１１０に入射しないため、矢印Ｂ方向の偏光を有する光がそのまま光学ローパスフィルター１１０から射出する。これにより、偽色の発生がない被写体の場合には、撮像レンズ１０の像性能を損なうことなく、被写体像を撮像素子４０で撮像することができる。
【００２６】
このように、偽色が発生する被写体の場合には、偏光フィルター１２０を撮像光路外に退避させて光学的ローパス効果ありの状態にし、偽色を光学的に除去した画像を撮像し、偽色が発生しない被写体の場合には、偏光フィルター１２０を撮像光路上に配置して光学的ローパス効果なしの状態にし、高解像でコントラストの高い画像を撮像することができる。従って、撮像装置１は、常に最良の画像を撮像することができる。
【００２７】
なお、撮像素子４０がエリアセンサーの場合には、図３に示すように、２つの光学ローパスフィルター１１０及び１３０と、２つの偏光フィルター１２０及び１４０が必要となる。これは、光学ローパスフィルター１１０を一軸結晶で構成する場合、光線を２つにしか分離することができず、一方向（１次元）の光学的ローパス効果しか期待できないからである。ここで、図３は、光学ローパスユニット１００の構成を示す概略斜視図であって、図３（ａ）は偏光フィルター１２０及び１４０が撮像光路外に退避した場合、図３（ｂ）は偏光フィルター１２０及び１４０が撮像光路上に配置された場合を示している。
【００２８】
図３において、撮像装置４０はエリアセンサーであり、光学ローパスフィルター１１０は矢印Ａ方向に光学軸を有する結晶から構成され、偏光フィルター１２０は矢印Ａ方向に垂直な方向（矢印Ｂ方向）の偏光を有する光のみを透過する（即ち、矢印Ａ方向に平行な偏光を有する光を遮断する）偏光フィルターである。また、光学ローパスフィルター１３０は、光学ローパスフィルター１１０の光学軸とは異なる矢印α方向に光学軸を有する結晶から構成され、偏光フィルター１４０は矢印α方向に垂直な方向（矢印β方向）の偏光を有する光を透過し、その他の方向の偏光は弱めるか遮断する（即ち、矢印α方向に平行な偏光を有する光を大きく弱める）偏光フィルターである。２つの光学ローパスフィルター１１０及び１３０の光学軸の成す角度が０°と９０°の間で０°と９０°以外であれば４点分離する。通常、分離の希望特性によって２つの光学ローパスフィルターの光学軸のなす角度として、２０°〜７０°の間の角度が使用される。
【００２９】
光学ローパスフィルター１３０は、光学ローパスフィルター１１０の後段に配置され、偏光フィルター１４０は、光学ローパスフィルター１３０の撮像素子４０側の撮像光路上に挿脱可能に配置される。偏光フィルター１４０は、光学ローパスフィルター１３０で分離された光のうち、所定の偏光とは異なる偏光（所定の偏光と直交する偏光）を有する光を遮断する。
【００３０】
図３（ａ）を参照するに、偏光フィルター１２０及び１４０が撮像光路外に退避しており、光学ローパスユニット１００は光学的ローパス効果ありの状態である。この状態では、光学的ローパス効果が基準の状態である。従って、偽色が発生する被写体であっても、偽色の発生を抑えることができ、撮像の高品位化を図ることができる。但し、ナイキスト周波数近傍の周波数及び低周波数においてＭＴＦを低下させ、解像力及びコントラストを低下させてしまう。
【００３１】
そこで、偽色の発生がない被写体の場合には、図３（ｂ）に示すように、偏光フィルター１２０を光学ローパスフィルター１１０の前段、偏光フィルター１４０を光学ローパスフィルター１３０の後段の撮像光路上に配置し、光学ローパスユニット１００を光学的ローパス効果なしの状態にする。この状態では、光学ローパスフィルター１１０で分離される矢印Ａ方向の偏光を有する光が光学ローパスフィルター１１０に入射しないため、矢印Ｂ方向の偏光を有する光がそのまま光学ローパスフィルター１１０から射出する。光学ローパスフィルター１１０から射出した矢印Ｂ方向の偏光を有する光は、光学ローパスフィルター１３０によって分離されるが、偏光フィルター１４０によって矢印Ｂ方向の偏光を有する光が大幅に強度が弱められる。これにより、偽色の発生がない被写体の場合には、撮像レンズ１０の像性能を損なうことが少なく、被写体像を撮像素子４０で撮像することができる。
【００３２】
また、光学ローパスフィルター１１０の光学軸が、図４に示すように、１つの軸に対してしか傾いていない場合には、光学ローパスフィルター１１０で分離された所定の偏光を有する光が、光学ローパスフィルター１３０で分離されない（即ち、光学ローパスフィルター１３０の光学軸に対して垂直になる）ため、光学ローパスフィルター１１０と光学ローパスフィルター１３０との間に、円偏光に変換するための位相板（λ／４板）１５０が必要となる。位相板１５０は、光学軸が表面に対して平行に構成されるため（矢印Ｘ方向）、入射される光の分離は行わない。また、位相板１５０は、光学ローパスフィルター１１０が分離する光（即ち、常光線と異常光線）の位相差がλ／４となるような厚さとなるように設定されているため、矢印Ｘ方向の光学軸に対して４５度傾けた偏光を有する光を円偏光に変換する。ここで、図４は、光学ローパスユニット１００の構成を示す概略斜視図であって、図４（ａ）は偏光フィルター１２０及び１４０が撮像光路外に退避した場合、図４（ｂ）は偏光フィルター１２０及び１４０が撮像光路上に配置された場合を示している。
【００３３】
図４（ａ）を参照するに、偏光フィルター１２０及び１４０が撮像光路外に退避しており、光学ローパスユニット１００は光学的ローパス効果ありの状態である。この状態では、光学的ローパス効果が基準の状態である。従って、偽色が発生する被写体であっても、偽色の発生を抑えることができ、撮像の高品位化を図ることができる。但し、ナイキスト周波数近傍の周波数及び低周波数においてＭＴＦを低下させ、解像力及びコントラストを低下させてしまう。
【００３４】
そこで、偽色の発生がない被写体の場合には、図４（ｂ）に示すように、偏光フィルター１２０を光学ローパスフィルター１１０の前段、偏光フィルター１４０を光学ローパスフィルター１３０の後段の撮像光路上に配置し、光学ローパスユニット１００を光学的ローパス効果なしの状態にする。この状態では、光学ローパスフィルター１１０で分離される矢印Ａ方向の偏光を有する光が光学ローパスフィルター１１０に入射しないため、矢印Ｂ方向の偏光を有する光がそのまま光学ローパスフィルター１１０から射出する。光学ローパスフィルター１１０から射出した矢印Ｂ方向の偏光を有する光は、位相板１５０によって円偏光に変換され、更に、光学ローパスフィルター１３０によって分離されるが、偏光フィルター１４０によって矢印Ｂ方向の偏光を有する光が遮断される。これにより、偽色の発生がない被写体の場合には、撮像レンズ１０の像性能を損なうことなく、被写体像を撮像素子４０で撮像することができる。
【００３５】
なお、図５に示すように、位相板１５０を液晶１６０に置換して、光学ローパスユニット１００を構成することも可能である。液晶１６０は、光学ローパスフィルター１１０と光学フィルター１３０との間に配置され（本実施形態では、光学ローパスフィルター１１０、液晶１６０及び光学ローパスフィルター１３０が一体的に構成している）、光学ローパスフィルター１１０で分離された所定の偏光を有する光を、光学ローパスフィルター１３０で分離されるように、円偏光に変換する機能を有する。ここで、図５は、光学ローパスユニット１００の構成を示す概略斜視図であって、図５（ａ）は偏光フィルター１２０及び１４０が撮像光路外に退避した場合、図５（ｂ）は偏光フィルター１２０及び１４０が撮像光路上に配置された場合を示している。
【００３６】
図５（ａ）を参照するに、偏光フィルター１２０及び１４０が撮像光路外に退避しており、光学ローパスユニット１００は光学的ローパス効果ありの状態である。この状態では、光学的ローパス効果が基準の状態である。従って、偽色が発生する被写体であっても、偽色の発生を抑えることができ、撮像の高品位化を図ることができる。但し、ナイキスト周波数近傍の周波数及び低周波数においてＭＴＦを低下させ、解像力及びコントラストを低下させてしまう。
【００３７】
そこで、偽色の発生がない被写体の場合には、図５（ｂ）に示すように、偏光フィルター１２０を光学ローパスフィルター１１０の前段、偏光フィルター１４０を光学ローパスフィルター１３０の後段の撮像光路上に配置し、光学ローパスユニット１００を光学的ローパス効果なしの状態にする。この状態では、光学ローパスフィルター１１０で分離される矢印Ａ方向の偏光を有する光が光学ローパスフィルター１１０に入射しないため、矢印Ｂ方向の偏光を有する光がそのまま光学ローパスフィルター１１０から射出する。光学ローパスフィルター１１０から射出した矢印Ｂ方向の偏光を有する光は、液晶１６０によって円偏光に変換され、更に、光学ローパスフィルター１３０によって分離されるが、偏光フィルター１４０によって矢印Ｂ方向の偏光を有する光が遮断される。これにより、偽色の発生がない被写体の場合には、撮像レンズ１０の像性能を損なうことなく、被写体像を撮像素子４０で撮像することができる。
【００３８】
撮像装置１の動作について説明する。ファンインダー観察時において、撮像レンズ１０を透過した光（光像）は、回転ミラー３０で反射され、焦点板５２に結像し、ペンタプリズム５４及び接眼レンズ５６を介して観察される。
【００３９】
一方、撮像時において、回転ミラー２０は、撮像光路上から退避し、撮像レンズ１０を透過した光は、光学ローパスユニット１００を介して、撮像素子４０で撮像される。撮像装置１が使用する光学ユニット１００は、偏光フィルター１２０を撮像光路上に挿脱することにより、光学的ローパス効果の有無を切り替えることができるため、偽色が発生する被写体の場合には、光学的ローパス効果ありの状態にして偽色を光学的に除去した画像を撮像し、偽色が発生しない被写体の場合には、光学的ローパス効果なしの状態にして高解像でコントラストの高い画像を撮像することができる。なお、被写体が偽色を発生するかどうかの判断は、簡単なアルゴリズムで可能であり、当業界で周知のいかなる技術をも適用することが可能であるため、ここでの詳細な説明は省略する。また、偏光フィルター１２０を撮像光路上に挿脱する機構は、大型の構成を必要としないため、撮像装置１の小型化も十分に達成することができる。
【００４０】
以上、本発明の好ましい実施例について説明したが、本発明はこれらの実施例に限定されないことはいうまでもなく、その要旨の範囲内で種々の変形及び偏光が可能である。例えば、光学ローパスユニットの光学的ローパス効果の切り替え（可変）は、偏光フィルターの撮像光路上への挿脱に限らず、偏光フィルターを回転させることによって行うこともできる。また、電気的複屈折効果を利用して電気的に光学的ローパス効果を可変とすることも可能である。
【図面の簡単な説明】
【００４１】
【図１】本発明の一側面としての撮像装置の構成を示す概略断面図である。
【図２】図１に示す光学ローパスユニットの構成を示す概略斜視図である。
【図３】図１に示す光学ローパスユニットの構成を示す概略斜視図である。
【図４】図１に示す光学ローパスユニットの構成を示す概略斜視図である。
【図５】図１に示す光学ローパスユニットの構成を示す概略斜視図である。
【符号の説明】
【００４２】
１                  撮像装置
１０                撮像レンズ
２０                カメラ本体
３０                回転ミラー
４０                撮像素子
５０                ファインダー光学系
５２                焦点板
５４                ペンタプリズム
５６                接眼レンズ
１００              光学ローパスユニット
１１０及び１３０    光学ローパスフィルター
１２０及び１４０    偏光フィルター
１５０              位相板
１６０              液晶
【図１】
2006180076.tif 000003
【図２】
2006180076.tif 000004
【図３】
2006180076.tif 000005
【図４】
2006180076.tif 000006
【図５】
2006180076.tif 000007